(57)【要約】【課題】  失禁時の尿や生理時の経血等、身体からの排出液を吸収する性能を有し、漏れ防止性に優れており、且つ装着性及び装着感に優れたサニタリーショーツを提供すること。【解決手段】  伸縮性不織布２１，３１，４１から構成され、ウエスト開口部５及び一対のレッグ開口部６，６を有するショーツ本体１０を具備し、前身頃２、後身頃３及びこれら両者間に位置する股下部４を有するサニタリーショーツ１において、股下部４に、親水性繊維を含有するシート７１からなる吸収層７が設けられ、該吸収層７の非肌対向面側に液不透過性で且つ透湿性の防漏層８が設けられており、前記吸収層７の吸水容量が２００〜５００ｇ／ｍ2であり、前記股下部４の曲げ剛性が２．０ｇｆ・ｃｍ2／ｃｍである。【選択図】    図３
2005154923.tif 000002
【特許請求の範囲】
【請求項１】
伸縮性不織布から構成され、ウエスト開口部及び一対のレッグ開口部を有するショーツ本体を具備し、前身頃、後身頃及びこれら両者間に位置する股下部を有するサニタリーショーツにおいて、
前記股下部に、親水性繊維を含有するシートからなる吸収層が設けられ、該吸収層の非肌対向面側に液不透過性で且つ透湿性の防漏層が設けられており、
前記吸収層の吸水容量が２００〜５００ｇ／ｍ2であり、前記股下部の曲げ剛性が２．０ｇｆ・ｃｍ2／ｃｍ以下であるサニタリーショーツ。
【請求項２】
前記伸縮性不織布が、不織繊維層が収縮性繊維を含む編糸によってステッチ縫合されてなる不織布である請求項１記載のサニタリーショーツ。
【請求項３】
前記親水性繊維を含むシートが、前記親水性繊維としてセルロース系繊維を含む請求項１又は２の何れか記載のサニタリーショーツ。
【請求項４】
前記親水性繊維を含むシートが、構成繊維の交絡のみで不織布化されている不織布である請求項１〜３の何れか記載のサニタリーショーツ。
【請求項５】
前記股下部の幅の最小値Ｗが８０〜１１０ｍｍであり、該股下部の幅が最小値を示す部位における前記吸収層の幅Ｗ１が８０〜１１０ｍｍであり、両者の比（Ｗ１／Ｗ）が０.９０〜１.００である請求項１〜４の何れか記載のサニタリーショーツ。
【請求項６】
前記防漏層は、前記股下部を構成する前記伸縮性不織布の肌対向面側に液不透過性で且つ透湿性の防漏シートを配して形成されており、該防漏シートは、その周縁部において該伸縮性不織布に接合されており且つその周縁部の内側においては該伸縮性不織布と離間可能になされている請求項１〜５の何れかに記載のサニタリーショーツ。
【発明の詳細な説明】
【技術分野】
【０００１】
本発明は、失禁時の尿や生理時の経血等、身体からの排出液を吸収する性能を有し、漏れ防止性に優れており、且つ装着性及び装着感に優れたサニタリーショーツに関する。
【背景技術】
【０００２】
従来、生理用ナプキンや失禁パッド等の吸収性物品を固定し、該吸収性物品を着用者の身体にフィットさせるために用いられるサニタリーショーツが知られている。
例えば、特許文献１には、特定構造の伸縮性不織布により構成され、その目付が特定の範囲内にあるサニタリーショーツが記載されている。
【０００３】
【特許文献１】特開２０００−６０９００号公報
【発明の開示】
【発明が解決しようとする課題】
【０００４】
しかし、このサニタリーショーツは、生理用ナプキンや失禁パッド等を固定して用いるもので、それ自体が吸収性能を有するものではない。そのため、生理用ナプキンや失禁パッドのズレ等により経血や尿がこれらから漏れ出すと、その液が、ショーツからも容易に漏れだして着衣を汚すという問題がある。
そこで、サニタリーショーツに、生理用ナプキン等に用いられている吸収体と同様の吸収体を具備させて吸収性能を付与することが考えられるが、その場合には、吸収体の存在により装着性や装着感が悪化する。
【０００５】
従って、本発明の目的は、失禁時の尿や生理時の経血等、身体からの排出液を吸収する性能を有し、漏れ防止性に優れており、且つ装着性及び装着感に優れたサニタリーショーツを提供することにある。
【課題を解決するための手段】
【０００６】
本発明は、伸縮性不織布から構成され、ウエスト開口部及び一対のレッグ開口部を有するショーツ本体を具備し、前身頃、後身頃及びこれら両者間に位置する股下部を有するサニタリーショーツにおいて、前記股下部に、親水性繊維を含有するシートからなる吸収層が設けられ、該吸収層の非肌対向面側に液不透過性で且つ透湿性の防漏層が設けられており、前記吸収層の吸水容量が２００〜５００ｇ／ｍ2であり、前記股下部の曲げ剛性が２．０ｇｆ・ｃｍ2／ｃｍ以下であるサニタリーショーツを提供することにより前記目的を達成したものである。
【発明の効果】
【０００７】
本発明によれば、失禁時の尿や生理時の経血等、身体からの排出液を吸収する性能を有し、漏れ防止性に優れており、且つ装着性及び装着感に優れたサニタリーショーツを提供することができる。
【発明を実施するための最良の形態】
【０００８】
以下本発明を、その好ましい実施形態に基づき図面を参照しながら説明する。
本発明の一実施形態としての失禁用ショーツ１は、図１及び図２に示すように、前身頃２、後身頃３、及び前身頃２と後見頃３との間に位置する股下部４を有しており、前身頃２の両側縁部と後見頃３の両側縁部とが互いに縫合により接合されてウエスト開口部５及び一対のレッグ開口部６，６が形成されている。失禁用ショーツ１は、伸縮性不織布４１，４２，４３から構成されたショーツ本体１０に、後述する吸収層７及び防漏層８等を設けてなる。ショーツ本体１０は、ウエスト開口部５及び一対のレッグ開口部６，６を有する形態（ショーツ型の形態）を有している。
【０００９】
本実施形態におけるショーツ本体１０は、不織繊維層が伸縮性繊維を含む編糸によってステッチ縫合されてなる伸縮性不織布から構成されている。即ち、ショーツ本体１０における、前身頃２、後身頃３及び股下部４を形成する部分は、それぞれ、不織繊維層が伸縮性繊維を含む編糸によってステッチ縫合されてなる伸縮性不織布２１，３１，４１から構成されている。
【００１０】
不織繊維層が伸縮性繊維を含む編糸によってステッチ縫合されてなる伸縮性不織布としては、例えば特開２０００−６０９００に記載の「不織繊維層が伸縮性繊維を含む編糸によってステッチ縫合されてなる不織布」を用いることができる。
【００１１】
前記不織繊維層は、構成繊維が絡合したものであり、その構成繊維としては、ポリエステル、ナイロン、ポリプロピレン、ビニロン、キュプラ、アクリル、レーヨン、綿等を用いることができる。その構成繊維は全て同種のものであっても、異種の繊維であってもよく、また、その構成繊維はフィラメント糸や短繊維のいずれであってもよい。
【００１２】
前記伸縮性繊維とは、低粘度ポリマーと高粘度ポリマーとの組合せによる複合紡糸捲縮繊維、異種ポリマーの組合せによる複合紡糸捲縮繊維、バイメタル構造による複合紡糸捲縮繊維などや、捲縮加工によるカサ高加工糸、高伸縮性を有するゴム糸（ラテックス）、ポリウレタン弾性糸等をいう。
前記編糸は、このような伸縮性繊維を含むものであり、該編糸は、伸縮性繊維を裸糸として用いてもよいし、また、他の天然繊維、合成繊維等によって被覆されていてもよい。
【００１３】
伸縮性繊維を含む編糸と他の繊維とを交編することも好ましい。交編糸としては合成繊維フィラメント糸、被覆弾性糸等を好ましく用いることができる。交編糸の不織布全体における含有率は３０％以上６５％以下の範囲が好ましい。本明細書において「％」は特に明記しない限り重量％である。
【００１４】
前記伸縮性不織布の編組織は、複数おさ、例えば、２枚おさ（２バー）又は３枚おさ（３バー）を使用して、伸縮性繊維と交編糸を編成してなるものが好ましい。具体的には、タテ方向に伸びが大きな鎖編、ヨコ方向の伸びが得られる１〜２針振り編、タテ・ヨコ両方向に伸びが得られるサテン編やアトラス編等を採用することができる。
前記ステッチ縫合とは、伸縮性繊維が表糸（フロントバー又はＬ１）として、一方、編糸が裏糸（バックバー又はＬ２）として、不織繊維層を狭持する状態のことをいう。ステッチ縫合には、例えば市販のラッセル経編機を用いることができる。ステッチ縫合前の不織繊維層としては、スパンレース不織布、ニードルパンチ不織布、スパンボンド不織布等を用いることができる。
前記伸縮性不織布は、例えば、構成繊維として単繊維デニールが０．１デニール以上３．５デニール以下の範囲にあるポリエステルフィラメント糸を用い、スパンボンド式で坪量（目付）が１５ｇ／ｍ2以上５０ｇ／ｍ2 以下の範囲にある原不織布を得、該原不織布を伸縮性繊維を含む編糸と交編糸でステッチ縫合することによって得ることができる。
【００１５】
本実施形態におけるショーツ本体１０は、前身頃２、後身頃３及び股下部４を形成する部分が、それぞれ一枚の伸縮性不織布２１，３１，４１から構成されており、股下部４を形成する部分の肌対向面側には、図３に示すように、親水性繊維を含有するシート７１からなる吸収層７が設けられ、該吸収層７の非肌対向面側、具体的には、吸収層７と前記伸縮性不織布４１との間には、液不透過性で且つ透湿性の防漏層８が設けられている。肌対向面及び非肌対向面とは、各部材において、着用者の肌側に向けられる面及びそれとは反対側に向けられる面であり、肌対向面側（又は非肌対向面側）に設けられているという表現には、肌対向面（又は非肌対向面）との間に他の部材が介在していない場合と介在している場合の両者が含まれる。
【００１６】
前記吸収層７を構成するシート７１は、親水性繊維を含むシートである。親水性繊維を含むシートには、各種公知の製法による編布、織布、不織布が含まれるが、紙は含まれない。
【００１７】
好ましいシート７１は編布又は織布であり、特に好ましいシート７１は、編布である。不織布として好ましいシート７１は、構成繊維の交絡のみで不織布の形態を維持しているもので、例えばスパンレース不織布、ニードルパンチ不織布、湿式スパンボンド不織布等である。吸収層７にこのような不織布を用いることにより、吸収容量を維持しつつショーツ１の股下部分の剛性を低下させることができ、装着時の装着感を向上させることができる。但し、吸収層を構成するシート７１として、ケミカルボンド、サーマルボンドなどの不織布を使うこともできる。
【００１８】
シート７１に含まれる親水性繊維は、吸収層７に吸液性能を付与するものであり、親水性繊維としては、ポリエチレン、ポリエステル、ポリプロピレン等の疎水性の合成繊維に活性剤等により親水化処理を施したもの等、各種公知の親水性繊維が用いられるが、使用後に洗濯して再度利用可能なショーツを得る場合における、洗濯による吸収性能の低下を防止する観点から、シート７１は、親水性繊維として、レーヨン繊維、コットン繊維、麻等のセルロース系繊維を含有することが好ましい。また、シート７１が不織布の場合、織布や編布に比較して布を構成する繊維間の強度が弱くなるので、親水性繊維は、連続フィラメント又は繊維長３０ｍｍ以上の繊維であることが耐洗濯性の点から好ましい。
【００１９】
シート７１中の親水性繊維の含有率は５０〜１００％、特に８０〜１００％であることが好ましい。
シート７１は、親水性繊維以外の繊維を含んでいても良く、親水性繊維以外の繊維としては、アクリル繊維、ポリエチレン、ポリエステル、ポリプロピレン等の疎水性合成繊維を挙げることができる。疎水性合成繊維を混在させることは、特に耐洗濯性を向上させることができるので好ましい。疎水性合成繊維を含有させる場合、親水性繊維を含有するシート７１中の該合成繊維の含有率は０〜５０％、特に０〜２０％であることが好ましい。
【００２０】
尚、使用後に洗濯して再度利用可能なショーツを得る場合に、洗濯後も未使用のショーツと同じ吸収性能を得ること、及び洗濯時にポリマーが脱落し他の洗濯物にポリマーで汚染する恐れがある観点から、吸収層７は、使い捨ておむつや生理用ナプキン等の吸収体に汎用されている高吸収性ポリマーを含有しないことが好ましく、また、複数回の洗濯で繊維の交絡・接合が外れて崩壊し無いこと、及び併用する失禁パッドや生理用ナプキン等のズレ止め用粘着剤による毛羽立ち、繊維の剥離を防止する観点から、パルプ繊維を含有しないことが好ましい。ここでいうパルプ繊維とは、パルプ原紙を機械的に開繊して得られる繊維長が５ｍｍ以下のフラッフパルプのことである。
【００２１】
また、ショーツ本体を構成する伸縮性不織布としては、「不織繊維層が伸縮性繊維を含む編糸によってステッチ縫合されてなる不織布」以外の伸縮性不織布を用いることもでき、例えばウレタンやポリオレフィン等のエラストマー樹脂を用いたスパンボンド不織布等の伸縮性不織布、伸張した伸縮フィルム両側に２枚の非伸縮性不織布をホットメルトや熱エンボス、超音波エンボスにより接着してなる伸縮性積層不織布、２枚の非伸縮性不織布の間に伸張した弾性糸や弾性ネットをホットメルトで接合した伸縮性不織布等も使用することができる。
【００２２】
本実施形態の失禁用ショーツ（サニタリーショーツ）１は、吸収層７の吸水容量が２００〜５００ｇ／ｍ2であり、前記股下部４のショーツ幅方向の曲げ剛性が２．０ｇｆ・ｃｍ2／ｃｍ以下である。
【００２３】
吸収層７の吸収容量が２００ｇ／ｍ2未満であると、股下部４の肌当接面側に、生理用ナプキンや失禁パッド等を固定して用いる場合及びショーツを単独で使用する場合の何れにおいても吸収性能が不充分となり、ショーツから漏れだした液により着衣を汚す恐れがある。前記吸収層７の吸収容量が５００ｇ／ｍ2超であると、股下部４の曲げ剛性を上記の範囲内に抑えることが難しくなる。
【００２４】
股下部４の曲げ剛性が２．０gf・cm2/cm超であると、装着性及び／又は装着感の悪化が避けられない。
【００２５】
また、充分な吸収性能を確保しつつ、良好な装着性及び／又は装着感を得る観点から、吸収層７の吸収容量は、特に３００〜５００ｇ／ｍ2であることが好ましく、股下部４の曲げ剛性は、２．０gf・cm2/cm以下、特に好ましくは０．８gf・cm2/cm以下であることが好ましい。また、吸収層７の坪量は、吸収層７に充分な吸収性能を確保しつつ、吸収層７の厚み及び剛性を抑えて、良好な装着性及び／又は装着感を得る観点から、２０〜１００ｇ／ｍ2、特に５０〜１００ｇ／ｍ2であることが好ましい。
【００２６】
吸収層７の吸収容量は、以下のようにして測定することができる。
吸収層７をイオン交換水に３０分浸漬後、３０分吊るし水を切り重量を測定する。浸漬前の重量を引いて単位換算し平米当たりの吸収容量とする。
【００２７】
股下部４の曲げ剛性は、以下のようにして測定することができる。
股下部からサンプルを切り出し、カトーテック（株）社製のＫＥＳ−ＦＢ２を用いて曲率−２．５cm-1〜＋２．５cm-1の範囲で曲げ剛性を測定する。
股下部４の曲げ剛性は、ショーツ長手方向（図２の上下方向）及び幅方向（図３の左右方向）のうちの少なくとも幅方向における曲げ剛性が上記範囲内であることが好ましく、歩行など足を前後に動かすと股下部の長手方向にも変形が加わるため、股下部の違和感が無く良好な装着性を得るために両方向の曲げ剛性が上記範囲内であることがより好ましい。
【００２８】
本実施形態における防漏層８は、股下部４を構成する伸縮性不織布４１の肌対向面側に、液不透過性で且つ透湿性の防漏シート８１を配して形成されている。
防漏シート８１としては、使い捨ておむつ等の裏面シート等として従来用いられている各種公知の透湿性シートを用いることができ、例えば、微多孔性フィルム、ポリウレタンやポリエステルフィルムのような拡散性を利用した無孔性透湿フィルム等が挙げられる。微多孔性フィルムは、疎水性の熱可塑性樹脂と、炭酸カルシウム等からなる微小な無機フィラー又は前記熱可塑性樹脂と相溶性のない有機高分子等とを溶融混練してフィルムを形成し、該フィルムを一軸又は二軸延伸して得られる。
尚、防漏シート８１の透湿度は、ＪＩＳ  Ｚ  ０２０８に従い測定された透湿度の値が１．０ｇ／(１００ｃｍ2・ｈｒ) 以上であることが好ましい。
【００２９】
本実施形態における伸縮性不織布４１、シート７１及び防漏シート８１は、平面視して同形をしており、それぞれの前後端４２，４３及び両側縁４４，４４において縫合により厚み方向に一体化されており、それぞれの前後端４２，４３は、前身頃２及び後身頃３の伸縮性不織布２１，３１にも縫合されている。即ち、防漏シート８１は、その周縁部に形成された縫合部においてのみ伸縮性不織布４１に接合されており、その周縁部（縫合部）の内側においては、該伸縮性不織布４１と離間可能になされている。
このような構成を有するため、股下部４の剛性を、防漏シート８１及び伸縮性不織布４１の対向面同士が全面が接合されている場合に比べて低く抑えることができる。また、股下部４を構成する伸縮性不織布４１の伸縮性が、防漏シート８１によって損なわれることを防止することができる。
【００３０】
また、シート７１も、その周縁部に形成された縫合部においてのみ防漏シート８１及び伸縮性不織布４１に接合されており、その周縁部（縫合部）の内側においては、該防漏シート８１と離間可能になされている。このような構成を有するため、股下部４の剛性を、シート７１及び防漏シート８１の対向面同士が全面が接合されている場合に比べて低く抑えることができる。
【００３１】
股下部４に充分な吸収性能を確保しつつ、良好な装着性及び／又は装着感を得る観点から、股下部４の幅の最小値Ｗ（図３参照）は８０〜１１０ｍｍであることが好ましく、該股下部４の幅が最小値を示す部位における前記吸収層７の幅Ｗ１（図３参照）が８０〜１１０ｍｍであることが好ましく、両者の比（Ｗ１／Ｗ）は０.９〜１.０であることが好ましい。また、同様の観点から、股下部４の長手方向における吸収層７の長さＬ１は１５０ｃｍ以上であることが好ましい。尚、幅Ｗ、Ｗ１及び長さＬ１は、図２に示す展開且つ自然状態（外力を加えない状態）において測定する。
【００３２】
本実施形態で用いた伸縮性不織布２１，３１，４１は、何れもその面内に伸縮性に富む高伸縮方向と、該高伸縮方向に直交し該高伸縮方向よりも伸縮性に劣る低伸縮方向とを有しており、ショーツ本体１０における、前身頃２、後身頃３及び股下部４を形成する部分を構成する伸縮性不織布２１，３１，４１は、何れもその高伸縮方向がショーツの幅方向（図２の左右方向）に一致している。股下部４を形成する伸縮性不織布４１の高伸縮方向がショーツの長手方向（図２の上下方向）に一致する場合には、着用中に股下部４が臀部の谷間に食い込み易くなるが、伸縮性不織布４１の高伸縮方向がショーツの幅方向に一致しているとそのような不都合を防止できる。
【００３３】
本実施形態の失禁用ショーツ１は、股下部４に吸収層７が設けられているため、単独で使用しても失禁尿を吸収させることができ、また、透湿性の防漏層８の存在により、ムレの発生を抑えつつ、失禁尿等が外部に漏れ出ることを防止することができる。また、失禁パッドを股下部内面側に固定して使用することもできる。その場合においても、失禁パッドのズレ等により尿が漏れ出した場合、その尿をショーツの吸収層に吸収保持させることができ、ショーツから漏れだした尿等により着衣を汚すことを防止できる。
【００３４】
また、吸収層７の吸収容量及び股下部４の曲げ剛性が上述した特定範囲内であるため、充分な吸収性能を確保しつつ、良好な装着性及び／又は装着感を得ることができる。また、ショーツ本体１０が、伸縮性不織布、特に上述した特定構造の伸縮性不織布２１，３１，４１から構成されているため、装着性及び装着感に特に優れている。
また、吸収層７が、親水性繊維を含むシート７１から構成されているため、使用後のショーツを洗濯し乾燥させた後再度利用することができる。このような洗濯及びその後の利用は少なくとも１回、好ましくは２〜５回程度繰り返すことができることが好ましい。
【００３５】
尚、本実施形態の失禁用ショーツ１においては、一対のレッグ開口部６，６の開口周縁部に、伸縮性不織布２１，３１，４１とは別材の弾性部材５１，６１が取り付けてあり、これらの開口周縁部に、周方向の伸縮性が付与されている。弾性部材６１は、帯状のシートと該シートに固定された複数本の長尺状の弾性部材からなる複合弾性部材であり、図３に示すように、縫合により各レッグ開口部の開口周縁部における非肌対向面側に固定されている。ウエスト開口部５の開口周縁部には、伸縮性不織布２１，３１を折り返して形成した２層構造部分を有し、それにより周方向の伸縮力が高められている。その２層構造部分の層間は糸５１により縫合されている。
【００３６】
以上、本発明の好ましい実施形態について説明したが、本発明は、上述した実施形態に制限されない。
例えば、上記の実施形態においては、股下部４を形成する伸縮性不織布４１の肌対向面側に別体の防漏シート８１を配して防漏層８が形成されていたが、これに代えて、伸縮性不織布４１の肌対向面又は非肌対向面に、溶融樹脂をラミネートして防漏層８を形成することもできる。また、伸縮性不織布２１，３１，４１は、連続する一枚の不織布であっても良い。また、股下部４を形成する伸縮性不織布４１は、その高伸縮方向をおむつの幅方向に一致させるのに代えて、長手方向に一致させるようにしても良い。この場合には、レッグ開口縁の周方向の伸縮性が向上し、脚周りのサイズ適応範囲が広くなる。
また、ウエスト開口部５の開口周縁部に、弾性部材６１のような複合弾性部材を取り付けても良く、レッグ開口部６の開口周縁部に、弾性部材６１に代えて糸状の弾性部材を固定しても良い。
【００３７】
本発明のサニタリーショーツは、失禁用のショーツの他に、生理用のショーツであっても良く、生理用ショーツは、公知の生理用ナプキン又はライナーを内表面に固定して使用しても良いし、単独で使用しても良い。
【図面の簡単な説明】
【００３８】
【図１】本発明の一実施形態としての失禁用ショーツを示す斜視図である。
【図２】図１に示す失禁用ショーツの展開状態を非肌対向面側からみた平面図である。
【図３】図２のＸ−Ｘ線断面図である。
【符号の説明】
【００３９】
１  失禁用ショーツ（サニタリーショーツ）
２  前身頃
３  後身頃
４  股下部
４１  伸縮性不織布
７  吸収層
７１  親水性繊維を含む不織布
８  防漏層
８１  防漏シート
１０  ショーツ本体
【図１】
2005154923.tif 000003
【図２】
2005154923.tif 000004
【図３】
2005154923.tif 000005